(57)【要約】【目的】ディジタル放送により録画された映画番組に対して、ＣＭ画像を自動的に削除して編集する「録画編集装置」を提供することである。【構成】画像解析部１０は、録画された映画番組データの画像信号を解析して上下両側に黒帯を有するか判定し、上下両側に黒帯を有すると判定された場合、編集部１３は、上下両側に黒帯を有する画像のみを録画するように制御する。また、画像解析部１０により、映画番組データの画像信号に上下両側に黒帯を有する画像が存在せず、左右両側に黒帯を有する画像と、黒帯を有さない画像とが混在していると判定された場合、編集部１３は、黒帯を有さない画像のみを録画するように制御する。【選択図】図５
2007300459.tif 000002
【特許請求の範囲】
【請求項１】
放送局から送信された放送情報を記憶部に録画して編集する録画編集装置において、
録画された放送情報の画像信号を解析して上下両側に黒帯を有するか判定する画像解析部と、
前記画像解析部により、上下両側に黒帯を有すると判定された場合、上下両側に黒帯を有する画像のみを前記記憶部に録画するように制御する編集部と、
を備えることを特徴とする録画編集装置。
【請求項２】
前記画像解析部により、前記放送情報の画像信号に上下両側に黒帯を有する画像が存在せず、左右両側に黒帯を有する画像と、黒帯を有さない画像とが混在していると判定された場合、
前記編集部は、前記黒帯を有さない画像のみを前記記憶部に録画するように制御する、
ことを特徴とする請求項１記載の録画編集装置。
【請求項３】
前記放送情報のフレームレートを検出するフレームレート検出部を更に備え、
前記画像解析部により、前記放送情報の画像信号に黒帯を有する画像がないと判定された場合、
前記編集部は、前記フレームレート検出部により検出されたフレームレートに基づいて画像を録画する、
ことを特徴とする請求項１記載の録画編集装置。
【発明の詳細な説明】
【技術分野】
【０００１】
本発明は、録画編集装置に係わり、特に、放送局から送信された放送情報を記憶部に録画して編集する録画編集装置に関する。
【背景技術】
【０００２】
従来、ディジタル放送されている放送情報を録画して、コマーシャルメッセージ（ＣＭ）画像のみを削除するように編集できる録画編集装置がある。しかし、このような録画編集装置では、ユーザが画面を見ながらＣＭ画像であるか判定し、ＣＭ画像であれば、この画像を削除することを繰り返し行っていた。そのため、ユーザは、録画された放送情報を全て視聴しなければならず、煩わしい作業となっていた。
【０００３】
ＣＭ画像をスキップして再生するための従来技術として、アスペクト比が１６：９のワイドモードによって映画の本編が記録されているレンタルビデオ等を再生するに際し、ワイドモードによって記録されている本編まで自動的に早送りすることのできる磁気再生装置がある（特許文献１参照）。具体的には、ビデオテープに記録されている画像信号に含まれているワイド信号を検出するワイド信号検出回路を備え、ビデオテープ再生時、ワイド信号検出回路によってワイド信号が検出されるまではビデオテープを早送り再生し、ワイド信号が検出されると、通常再生に移行して再生を継続する。
これによれば、レンタルビデオ等のように、ワイドモードで記録されていないＣＭ画像は早送り再生されるため、映画の本編をいち早く再生することができる。
【特許文献１】特開２００１−３５０４１号公報
【発明の開示】
【発明が解決しようとする課題】
【０００４】
しかしながら、ディジタル放送により映画番組を放送する際には、放送局は、映画本編及びＣＭ画像ともに、アスペクト比が１６：９の画像を放送している。そのため、従来技術をディジタル放送により録画された映画番組に適用してもＣＭ画像を削除することはできなかった。
従って、本発明の目的は、ディジタル放送により録画された映画番組に対して、ＣＭ画像を自動的に削除して編集する録画編集装置を提供することである。
【課題を解決するための手段】
【０００５】
本発明は、放送局から送信された放送情報を記憶部に録画して編集する録画編集装置であり、録画された放送情報の画像信号を解析して上下両側に黒帯を有するか判定する画像解析部と、前記画像解析部により、上下両側に黒帯を有すると判定された場合、上下両側に黒帯を有する画像のみを前記記憶部に録画するように制御する編集部と、を備えている。
【０００６】
前記画像解析部により、前記放送情報の画像信号に上下両側に黒帯を有する画像が存在せず、左右両側に黒帯を有する画像と、黒帯を有さない画像とが混在していると判定された場合、前記編集部は、前記黒帯を有さない画像のみを前記記憶部に録画するように制御する。
【０００７】
上記録画編集装置は、放送情報のフレームレートを検出するフレームレート検出部を更に備え、前記画像解析部により、前記放送情報の画像信号に黒帯を有する画像がないと判定された場合、前記編集部は、前記フレームレート検出部により検出されたフレームレートに基づいて画像を録画する。
【発明の効果】
【０００８】
本発明によれば、録画された放送情報の画像信号を解析して上下両側に黒帯を有するか判定し、上下両側に黒帯を有すれば、上下両側に黒帯を有する画像のみを録画するように構成したため、映画本編及びＣＭ画像ともに、アスペクト比が１６：９の画像であっても、ＣＭ画像のみを自動的に削除することができる。
【０００９】
本発明によれば、放送情報の画像信号に上下両側に黒帯を有する画像が存在せず、左右両側に黒帯を有する画像と、黒帯を有さない画像とが混在している場合、前記黒帯を有さない画像のみを録画するように構成したため、映画本編及びＣＭ画像ともに、アスペクト比が１６：９の画像であっても、ＣＭ画像のみを自動的に削除することができる。
【００１０】
本発明によれば、放送情報の画像信号に黒帯を有する画像がないと判定された場合、放送情報のフレームレートに基づいて画像を録画するように構成したため、映画本編及びＣＭ画像ともに、黒帯を有していない場合でも、ＣＭ画像のみを自動的に削除することができる。
【発明を実施するための最良の形態】
【００１１】
（Ａ）ＭＰＥＧ−２のデータ構造
ディジタル放送により、画像データを伝送する場合には、画像の符号化／復号処理が必要であり、現在ＭＰＥＧ−２と呼ばれる画像の符号化／復号方式が採用されている。図１は、ＭＰＥＧ−２ストリームのデータ構造を示す図である。
ＭＰＥＧ−２ストリームは、１つ以上の画像データ１と、画像データ１の前に挿入され、画像データ１に対応付けされているヘッダ２とから構成される。画像データ１は、画像データとして独立に意味をなす絶対値情報としてのフレーム（Ｉフレーム）と、１フレーム前の画像データとの差分情報であり画像データとして独立に意味をなさないフレーム（Ｐフレーム）で構成される。また、各フレームの前には表示時刻データ等の情報が付加される。また、Ｉフレーム及びＰフレームは、１つ以上のマクロブロック（１６画素×１６画素）で構成され、マクロブロック毎に符号化処理されている（図示しない）。一方、ヘッダ２は、画像データ１の画面の縦横のサイズ（画素数）、１秒間のフレーム数を示すフレームレート、圧縮率を示すビットレート等の情報を含んでいる。
【００１２】
（Ｂ）映画本編及びＣＭの放送方法
図２及び図３は、ディジタル放送における映画本編及びＣＭ画像の放送方法を示す図である。映画本編の画像がアスペクト比を１６：９として製作された場合、放送局は、この製作画像を放送画像として放送する（図２（ａ））。また、映画本編の画像がアスペクト比を映画館等のスクリーンサイズ（例えば２．３５：１）として製作された場合、放送局は、映画本編の画像を縮小して画像上下に黒帯を付加することにより、アスペクト比を１６：９にして放送する（図２（ｂ））。あるいは、映画本編の画像の左右を削除することにより、アスペクト比を１６：９にして放送する（図２（ｃ））。
一方、ＣＭ画像は、製作画像のアスペクト比が１６：９であれば、映画本編と同様に、この製作画像を放送画像として放送される（図３（ａ））。また、ＣＭ画像がアスペクト比を４：３として製作された場合、放送局は、ＣＭ画像の左右に黒帯を付加することにより、アスペクト比を１６：９にして放送する（図３（ｂ））。
以上より、図２（ｂ）のように画像上下に黒帯を有する画像は映画本編の画像とみなすことができ、図３(ｂ)のように左右に黒帯を有する画像はＣＭ画像とみなすことができる。なお、上下、左右に黒帯を有しない画像は、該画像のみからは映画本編の画像なのか、ＣＭ画像なのか識別できない。この場合には、フレームレートを参照して識別する。映画本編の画像は、フレームレートが２４フレーム／秒で放送されるのに対し、ＣＭ画像は、フレームレートが３０フレーム／秒で放送されるからである（図４）。但し、映画本編は、フレームレートが３０フレーム／秒で放送される場合もある。
【００１３】
（Ｃ）録画編集装置の構成
図５は、本発明に係る録画編集装置の構成図である。
ディジタル放送による映画番組を録画するには、ユーザが映画番組の録画を開始する旨の入力操作を操作部３から行う。ＣＰＵ４は、この入力操作を認識して、放送受信部５に番組を取得するように指示する。これにより、放送受信部５は、所定の放送波をアンテナ６で受信させて映画番組データを取得する。放送受信部５により取得された映画番組データは記録再生制御部７に入力される。そして、記録再生制御部７は、この映画番組データを第１記録部８に録画する。この時、放送受信部５により取得された映画番組データをデコーダ１１に入力して復号する。その後、出力制御部１５により復号された映画番組データにＯＳＤ（On Screen Display）やＧＵＩ（Graphical User Interface）が付与され、表示装置及びスピーカを備える出力部１６から画像及び音声を出力する。
【００１４】
第１記録部８に録画された映画番組データのＣＭ画像を削除して編集するには、ユーザが第１記録部８に録画された映画番組データのＣＭ画像を削除して編集する旨の入力操作を操作部３から行う。ＣＰＵ４は、この入力操作を認識して、記録再生制御部７に第１記録部８から映画番組データを取得するように指示する。これにより、記録再生制御部７は、第１記録部８から映画番組データを取得してデコーダ１１に入力する。デコーダ１１は、この映画番組データのヘッダ及び画像データ（図１）を復号する。次に、デコーダ１１は、１フレーム分の画像を復号する毎に、復号結果を黒帯検出部１２に入力する。黒帯検出部１２は、この復号結果から画像を、上下両側に黒帯を有する画像、左右両側に黒帯を有する画像、黒帯を有さない画像の３通りに分類し、この画像分類データを編集部１３に入力する。まず、黒帯検出部１２は、黒色を示すマクロブロック２０が上下両側に所定ライン以上存在する場合、上下両側に黒帯を有する画像として分類する（図６（ａ））。そして、黒色を示すマクロブロック２０が左右両側に所定ライン以上存在する場合、左右両側に黒帯を有する画像として分類する（図６（ｂ））。更に、黒帯検出部１２は、上記２つの画像以外の画像を、黒帯を有さない画像として分類する。
更に、デコーダ１１は、映画番組データのヘッダ（図１）を復号する毎に、ヘッダの復号結果をフレームレート検出部１４に入力する。フレームレート検出部１４は、ヘッダの復号結果に基づいて、画像データのフレームレートを検出して編集部１３に入力する。
その後、編集部１３は、黒帯検出部１２からの画像分類データに基づいて、上下両側に黒帯を有する画像が存在するかを判定する。上下両側に黒帯を有する画像が存在すれば、編集部１３は、この上下両側に黒帯を有する画像のみを録画するように記録再生制御部７に指示する。上下両側に黒帯を有する画像が存在しなければ、画像分類データに基づいて、左右両側に黒帯を有する画像と黒帯を有さない画像とが混在しているか判定する。左右両側に黒帯を有する画像と黒帯を有さない画像とが混在していれば、編集部１３は、黒帯を有さない画像のみを録画するように記録再生制御部７に指示する。左右両側に黒帯を有する画像と黒帯を有さない画像とが混在していなければ、編集部１３は、フレームレート検出部１４からフレームレートが２４フレーム／秒である画像データがあることが入力されたかを判定する。フレームレートが２４フレーム／秒である画像データがあれば、編集部１３は、フレームレートが２４フレーム／秒である画像データのみを録画するように記録再生制御部７に指示する。フレームレートが２４フレーム／秒である画像データがなければ、編集部１３は、映画番組データ全てを録画するように記録再生制御部７に指示する。そして、記録再生制御部７は、編集部１３からの指示に基づいて、この指示に該当する画像のみを第２記録部９に録画する。
【００１５】
第２記録部９に録画されたＣＭ画像を削除された映画番組データを再生するには、ユーザが第２記録部９に録画された映画番組データを再生する旨の入力操作を操作部３から行う。ＣＰＵ４は、この入力操作を認識して、記録再生制御部７に第２記録部９から映画番組データを取得するように指示する。これにより、記録再生制御部７は、第２記録部９から映画番組データを取得してデコーダ１１に入力する。デコーダ１１は、映画番組データを復号処理する。その後、出力制御部１５により復号された映画番組データにＯＳＤ（On Screen Display）やＧＵＩ（Graphical User Interface）が付与され、表示装置及びスピーカを備える出力部１６から画像及び音声を出力する。
以上の説明は、第２記録部９に録画されたＣＭ画像を削除された映画番組データを再生するものであったが、第１記録部８に録画された映画番組データを再生することも同様の処理で行うことができる。
【００１６】
（Ｄ）録画編集装置の編集処理
図７は、本発明に係る録画編集装置の編集処理のフローチャートであり、第１記録部８にはディジタル放送による映画番組が録画されているものとする。
ユーザが第１記録部８に録画された映画番組データのＣＭ画像を削除して編集する旨の指示を操作部３から行う（ステップＳ１）。ＣＰＵ４は、この指示により、記録再生制御部７に第１記録部８から映画番組データを取得するように指示する。これにより、記録再生制御部７は、第１記録部８から映画番組データを取得して画像解析部１０に入力する。画像解析部１０は、この映画番組データのヘッダ及び画像データ（図１）を全て復号して画像を上下両側に黒帯を有する画像、左右両側に黒帯を有する画像、黒帯を有さない画像の３通りに分類する（ステップＳ２）。具体的には、映画番組データが画像解析部１０に入力されると、デコーダ１１は、この映画番組データのヘッダ及び画像データ（図１）を復号する。次に、デコーダ１１は、１フレーム分の画像を復号する毎に、復号結果を黒帯検出部１２に入力する。黒帯検出部１２は、この復号結果に含まれるマクロブロック情報に基づいて画像を、上下両側に黒帯を有する画像、左右両側に黒帯を有する画像、黒帯を有さない画像の３通りに分類し、この画像分類データを編集部１３に入力する。更に、デコーダ１１は、映画番組データのヘッダ（図１）を復号する毎に、ヘッダの復号結果をフレームレート検出部１４に入力する。フレームレート検出部１４は、ヘッダの復号結果に基づいて、画像データのフレームレートを検出して編集部１３に入力する（ステップＳ３）。但し、黒帯検出部１２が、上下両側に黒帯を有する画像を検出した際には、以降のフレームにおける黒帯検出処理を停止し、画像分類データを編集部１３に入力する。
次いで、編集部１３は、黒帯検出部１２からの画像分類データに基づいて、上下両側に黒帯を有する画像が存在するかを判定する（ステップＳ４）。上下両側に黒帯を有する画像が存在すれば、編集部１３は、この上下両側に黒帯を有する画像を映画本編の画像とみなし、該画像を録画するように記録再生制御部７に指示する（ステップＳ５）。上下両側に黒帯を有する画像が存在しなければ、編集部１３は、画像分類データに基づいて、左右両側に黒帯を有する画像と黒帯を有さない画像とが混在しているか判定する（ステップＳ６）。左右両側に黒帯を有する画像と黒帯を有さない画像とが混在していれば、編集部１３は、黒帯を有さない画像を映画本編の画像とみなし、該画像をのみを録画するように記録再生制御部７に指示する（ステップＳ７）。左右両側に黒帯を有する画像と黒帯を有さない画像とが混在していなければ、編集部１３は、フレームレート検出部１４からフレームレートが２４フレーム／秒である画像データがあることが入力されたかを判定する（ステップＳ８）。フレームレートが２４フレーム／秒である画像データがあれば、編集部１３は、フレームレートが２４フレーム／秒である画像データのみを録画するように記録再生制御部７に指示する（ステップＳ９）。フレームレートが２４フレーム／秒である画像データがなければ、編集部１３は、映画番組データ全てを録画するように記録再生制御部７に指示する（ステップＳ１０）。そして、記録再生制御部７は、編集部１３からの指示に基づいて、この指示に該当する画像のみを第２記録部９に録画する（ステップＳ１１）。具体的には、記録再生制御部７は、編集部１３から録画処理が指示されると、第１記録部８から映画番組データを再び取得して画像解析部１０に入力する。画像解析部１０及びフレームレート検出部１４は、ステップＳ２〜Ｓ３と同一の処理を行い、画像分類データ及びフレームレート情報を編集部１３に入力する。編集部１３は、画像分類データ及びフレームレート情報に基づいて、現在処理している画像が記録再生制御部７に録画指示した画像に該当するかを判定する。現在処理している画像が記録再生制御部７に指示した画像に該当していれば、編集部１３は、記録再生制御部７に現在処理している画像を第２記録部９に録画するように指示する。これにより、記録再生制御部７は、現在処理している画像を第２記録部９に録画する。
以上により、ディジタル放送により録画された映画番組に対して、ＣＭ画像を自動的に削除して編集することができる。
【００１７】
本実施例では、第１記録部８にディジタル放送による映画番組が録画されているものとし、該録画画像に対してステップＳ２〜Ｓ１０の処理を施した場合について説明した。しかし、放送受信部５により受信された映画番組データに対しステップＳ２〜Ｓ１０の処理を行いながら、映画番組データを第１記録部８に録画し、処理結果を映画番組データＩＤに対応させて編集部１３に記憶しておくこともできる。これによれば、ユーザによりＣＭ画像の削除が指示されると、ステップＳ２〜Ｓ１０の処理を省略してＣＭ画像を削除できるため、処理時間を短縮することができる。
【００１８】
本実施例では、第１記録部８に録画された映画番組データに対して、ＣＭ画像を削除して編集し、第２記録部９に録画するようにしたが、第２記録部９に録画された映画番組データに対して、ＣＭ画像を削除して編集し、第１記録部８に録画するようにすることもできる。また、第１記録部８に録画された映画番組データに対して、ＣＭ画像を削除して編集し、第１記録部８に再び録画することもできる。
【００１９】
その他、録画編集装置の構成や制御手順等についても、特許請求の範囲に記載された本発明の要旨の範囲内において、種々の変形・変更が可能である。
【図面の簡単な説明】
【００２０】
【図１】ＭＰＥＧ−２ストリームのデータ構造を示す図である。
【図２】ディジタル放送における映画本編の放送方法を示す図である。
【図３】ディジタル放送におけるＣＭ画像の放送方法を示す図である。
【図４】映画本編及びＣＭ画像のフレームレートを示す図である。
【図５】本発明に係る録画編集装置の構成図である。
【図６】黒帯を有する画像の分類方法を示す図である。
【図７】本発明に係る録画編集装置の編集処理のフローチャートである。
【符号の説明】
【００２１】
７…記録再生制御部
８…第１記録部
９…第２記録部
１０…画像解析部
１１…デコーダ
１２…黒帯検出部
１３…編集部
１４…フレームレート検出部
【図１】
2007300459.tif 000003
【図２】
2007300459.tif 000004
【図３】
2007300459.tif 000005
【図４】
2007300459.tif 000006
【図５】
2007300459.tif 000007
【図６】
2007300459.tif 000008
【図７】
2007300459.tif 000009